(57)【要約】【課題】横方向の高い剛性が確保され、部品点数を削減することが可能なシートリフタ装置を提供する。【解決手段】  シートクッションフレーム４２を支持するとともに、ドリブンギヤ２４の駆動平面に平行な側面板部２２ｂを有し、ドリブンギヤ２４の駆動に伴って該シートクッションフレーム４２を円弧状で上方へリフトするサイドフレームプレート２２を備え、揺動リンク部材３０が、前記サイドフレームプレート２２の前記側面板部２２ｂに２箇所以上で係合していること。【選択図】 図１
2009202844.tif 000002
【特許請求の範囲】
【請求項１】
ロアアームに設けられた回動中心に対して回動運動により昇降するシートクッションフレームと、
駆動手段に連結されたピニオンギヤに一端部で噛み合うドリブンギヤと、
前記ドリブンギヤの他端部が描く軌跡と前記シートクッションフレームの昇降部とが描く円弧状軌跡のずれを吸収するため、前記ドリブンギヤの他端部と前記シートクッションフレームの間に設けられた揺動リンク部材と、が備えられたシート装置において、
前記ロアアームに前記回動中心で軸支されるとともに、前記シートクッションフレームを支持し、前記ドリブンギヤ及び前記揺動リンク部材の運動平面に対して平行に配置された側面板部を有するサイドフレームプレートを備え、
前記揺動リンク部材が、前記サイドフレームプレートの前記側面板部に２箇所以上で係合していることを特徴とするシートリフタ装置。
【請求項２】
請求項１において、前記側面板部には揺動可能に係合する揺動穴が設けられ、前記揺動リンク部材の一端部は、前記揺動穴に前記ドリブンギヤの他端部とともに係合していることを特徴とするシートリフタ装置。
【請求項３】
請求項１又は２において、前記揺動リンク部材は樹脂製であることを特徴とするシートリフタ装置。
【請求項４】
請求項３において、前記揺動リンク部材はスナップフィット構造により前記ドリブンギヤ又は前記サイドフレームプレートに組付けられることを特徴とするシートリフタ装置。
【発明の詳細な説明】
【技術分野】
【０００１】
本発明は、車両用シートが上下可能に保持されるシートリフタ装置に関する。
【背景技術】
【０００２】
車両用のシートにおいて、着座者の体格、嗜好に適合させるため、座席の高さを調節するシートリフタ装置が備えられている。このようなシートリフタ装置を記載した特許文献１によると、固定側のベースフレームと可動側のシートフレームのいずれか一方側を、ベースフレームに対して昇降作動させるリフターシャフトと、このリフターシャフトに固定されるセクタギヤ（ドリブンギヤ）と、ベースフレームに軸支されてセクタギヤ（ドリブンギヤ）と噛合し、回転操作機構によって回転駆動される駆動ギヤとを有し、この駆動ギヤの軸支部の近傍に、セクタギヤの外れを防止するための噛合保持部が、セクタギヤ（ドリブンギヤ）と駆動ギヤの噛合部の側面を覆うように形成されて成るシートリフタにおいて、軸孔を、少なくとも噛合保持部とセクタギヤ（ドリブンギヤ）の重なり量だけリフターシャフトの径よりも大径に形成し、この大径の軸孔にブッシュを介してシャフトを挿通軸支するようにしたものである。
【０００３】
また、特許文献２によると、駆動伝達系にピニオンギヤとこのピニオンギヤに噛み合うセクタギヤ（ドリブンギヤ）とが使用されたシートリフタ装置において、前記セクタギヤ（ドリブンギヤ）は、前記ピニオンギヤが嵌り込む円弧状の溝が当該セクタギヤ（ドリブンギヤ）の回転軸を中心として形成され、この溝の内側周面に前記ピニオンギヤが噛み合う歯が形成されたものであり、前記溝の外側周面は、当該周面が前記ピニオンギヤに当接することで、このピニオンギヤのセクタギヤ（ドリブンギヤ）の軸中心から遠ざかる方向への相対移動が阻止され、前記ピニオンギヤとセクタギヤ（ドリブンギヤ）の中心間距離が許容範囲内に保持される位置に形成されているものである。
【特許文献１】実公平５−７０７７号公報
【特許文献２】実開平６−６５０６９号公報
【発明の開示】
【発明が解決しようとする課題】
【０００４】
しかし、特許文献１及び特許文献２のシートリフタ装置では、クッション自体の前方が円弧軌道で上下動するように後方で軸支されたことによるクッション側の軌跡と、クッションを上下動させるための駆動力を伝える前方で軸支されたリンク側の円弧軌道の軌跡とのずれを吸収するため、揺動リンク（連結リンク）が設けられている。この揺動リンクは、連結部分がピンを使ったカシメ等による回転自由保持であり、僅かではあるがガタが生じるとともに横方向の剛性不足を生じさせていた。また、部品点数を減少させるための要望が以前よりあるが、このような揺動リンクの支持を、別体のピンを使ったカシメ等で行っているため、部品点数を減らすことが困難であった。
【０００５】
本発明は係る従来の問題点に鑑みてなされたものであり、その目的は横方向の高い剛性が確保されるとともに、部品点数を削減することが可能なシートリフタ装置を提供することである。
【課題を解決するための手段】
【０００６】
上述した課題を解決するために、請求項１に係る発明の構成上の特徴は、ロアアームに設けられた回動中心に対して回動運動により昇降するシートクッションフレームと、駆動手段に連結されたピニオンギヤに一端部で噛み合うドリブンギヤと、前記ドリブンギヤの他端部が描く軌跡と前記シートクッションフレームの昇降部とが描く円弧状軌跡のずれを吸収するため、前記ドリブンギヤの他端部と前記シートクッションフレームの間に設けられた揺動リンク部材と、が備えられたシート装置において、前記ロアアームに前記回動中心で軸支されるとともに、前記シートクッションフレームを支持し、前記ドリブンギヤ及び前記揺動リンク部材の運動平面に対して平行に配置された側面板部を有するサイドフレームプレートを備え、前記揺動リンク部材が、前記サイドフレームプレートの前記側面板部に２箇所以上で係合していることである。
【０００７】
請求項２に係る発明の構成上の特徴は、請求項１において、前記側面板部には揺動可能に係合する揺動穴が設けられ、前記揺動リンク部材の一端部は、前記揺動穴に前記ドリブンギヤの他端部とともに係合していることである。
【０００８】
請求項３に係る発明の構成上の特徴は、請求項１又は２において、前記揺動リンク部材は樹脂製であることである。
【０００９】
請求項４に係る発明の構成上の特徴は、請求項３において、前記揺動リンク部材はスナップフィット構造により前記ドリブンギヤ又は前記サイドフレームプレートに組付けられることである。
【発明の効果】
【００１０】
請求項１に係る発明によると、揺動リンク部材は、２箇所以上においてサイドフレームプレートと係合されているので、ドリブンギヤより力が伝達される際に生じる横方向（揺動リンク部材の運動方向に直角な方向）のモーメントをサイドフレームプレートが支持することができる。そのため、揺動リンク部材自体及び連結部を高い剛性の材料で形成することなく、構造的に高い剛性を確保することができる。
【００１１】
請求項２に係る発明によると、一番横方向のモーメントを生じやすい揺動リンク部材の一端部及びドリブンキヤの他端部という連結部が、揺動穴に係合されることによってサイドフレームプレートで支持されることとなるので、きわめて効率よくサイドフレームプレートで補強することができる。また、二つの部材（揺動リンク部材及びドリブンギヤ）の連結部を揺動させるので、少しの動きで二つの部材が形成する角度を大きく変化させることが可能であり、全体として小型の構造とすることができる。
【００１２】
請求項３に係る発明によると、揺動リンク部材は高い剛性材料で製作する必要がないので、安価に製作することが可能な樹脂成型材で形成することができる。そして、樹脂成型材は、サイドフレームプレート等に組み付ける回動軸部分を一体成型でき、別体のピン部材等を省略することが可能となるので、部品点数の削減を図ることができる。
【００１３】
請求項４に係る発明によると、スナップフィットで組付けが行うことができるので、組立作業を迅速にして生産性を向上させることができる。
【発明を実施するための最良の形態】
【００１４】
本発明のシートリフタ装置の実施形態を以下に説明する。図１はシートリフタ装置を車両用シート装置に組み付けた状態を示す概要図であり、図２はシートリフタ装置を組み付けた状態を示す斜視図である。なお、本明細書中において使用する「前後、左右、上下」の方向は車両のそれを基準として記述している。
【００１５】
シート装置２は、図１に示されるように、ロアレール４、アッパレール６、シートクッション７が取り付けられるロアアーム８、シートバック９が取り付けられるアッパアーム１０及びシートリフタ装置２０を主として構成される。
【００１６】
本実施形態における車両用シート装置２では、図１に示すように、車両のフロア１には、車両の前後方向に延在する一対のロアレール４がブラケット５により設けられ、各ロアレール４には夫々アッパレール６がスライド可能に組み付けられている。ロアレール４とアッパレール６とは、図略のロック・アンロック機構によって相対的なスライドがロック・アンロック状態に切り替わるようになっている。アッパレール６の上部にはブラケット部材１１及びボルト・ナット１２等によりロアアーム８が設けられ、ロアアーム８の後方上部には図略のリクライニング機構を介してシートバック９側のアッパアーム１０が相対的回動可能に組み付けられている。
【００１７】
ロアアーム８の前方部にはシートリフタ装置２０が設けられている。シートリフタ装置２０は、サイドフレームプレート２２と、ドリブンギヤとしてのセクタギヤ２４と、セクタギヤ２４の一端部に円弧状に設けられた外歯と噛合するピニオンギヤ２６と、ピニオンギヤ２６を駆動させる駆動モータ機構２８と、セクタギヤ２４の他端部で連結される揺動リンク部材３０とから構成されている。サイドフレームプレート２２は、図２に示すように、折曲されて天板部２２ａと側面板部２２ｂとが形成され、側面板部２２ｂの後方端に形成された回動中心孔３２（図１参照）においてロアアーム８の内側側面に回動可能に軸支されている。この側面板部２２ｂには、図３に示すように、駆動モータ機構２８のピニオンギヤ２６を貫通させる貫通穴３４と該駆動モータ機構２８をロアアーム８に固定する支持棒材（後述）を貫通させる長穴部３６と、セクタギヤ２４の他端部及び揺動リンク部材３０の一端部が回動可能に連結された連結部が揺動可能に係合される揺動穴３８と、揺動リンク部材３０の他端部が係合される軸支孔４０とが形成されている。軸支孔４０はバーリング加工によりボス部が突設され、周方向の面当りを確保することにより嵌合される係合周突起部５８（後述）の回転軸がずれないようになっている。
【００１８】
前記天板部２２ａには、図２に示すように、シートクッション７の下面に固定されるクッションフレームとしての前縁パネル４２がリベット等の固定部材４４により固定されている。
【００１９】
前記セクタギヤ２４は中央部には回転中心穴４６が形成され、一端部には円弧状の外歯が設けられ、他端部には後述する揺動リンク部材と連結する作用穴６０が穿設されている。回転中心穴４６は、基端側より順に鍔部４８ａ、周滑部４８ｂ及びセレーション部４８ｃが設けられた固定ビス４８のセレーション部４８ｃに相対回転不能に組付けられている（図３参照）。固定ビス４８のセレーション部４８ｃは、さらに駆動伝達ロッド５０の先端部に嵌着され、駆動伝達ロッド５０は他方に形成された図略のリフタリンク部材、揺動リンク部材、サイドフレームプレート２２等より構成されるシートの左側のシートリフタ装置に駆動トルクを伝達するようになっている。また、固定ビス４８の周滑部４８ｂは、ロアアーム８の取付穴５２に回動可能に軸支されている。セクタギヤ２４の円弧状の外歯には駆動モータ機構２８のピニオンギヤ２６が噛合している。駆動モータ機構２８は、モータ２８ａと減速装置２８ｂとを備え、減速装置２８ｂは図略のウォームギヤによりモータ２８ａの駆動をピニオンギヤ２６に減速して伝達するようになっている。駆動モータ機構２８は、二箇所に横方向に突設され夫々雌螺子部が形成された支持部２８ｃにおいてビス５４によりロアアーム８に固定される。セクタギヤ２４には、前記外歯に円弧状に沿うガイド溝５５が形成され、このガイド溝５５に支持部２８ｃが嵌入されてセクタギヤ２４の揺動する動きがガイドされる。
【００２０】
前記揺動リンク部材３０は、耐摩耗性・高弾力性を有する公知の硬質樹脂材料で形成された長円形の板状体で、一端部には連結穴５６が形成され、他端部にはスナップフィット構造としての係合周突起部５８が形成されている（図７参照）。連結穴５６は、セクタギヤ２４の他端部に穿設された作用穴６０とともに揺動支持部材６２によって挿通されて相対回転可能に連結される。揺動支持部材６２は基端部側より順に鍔部６２ａ、第１周滑部６２ｂ及び第１周滑部よりも外径の小さい第２周滑部６２ｃを備えている。そして、第１周滑部６２ｂをサイドフレームプレート２２の揺動穴３８と揺動リンク部材３０の連結穴５６に挿通し、かつ第２周滑部６２ｃを作用穴６０に挿通してカシメにより抜け止めされている（図５参照）。連結穴５６及び作用穴６０よりなる連結部分は、揺動穴３８と揺動支持部材６２の遊び分だけ揺動可能に係合され、鍔部６２ａとセクタギヤ２４の間で、サイドフレームプレート２２とともに揺動リンク部材３０を挟持するよう構成されている。揺動リンク部材３０の他端部に形成された係合周突起部５８は、サイドフレームプレート２２の軸支孔４０に挿入されて回動可能に係合されている。この係合周突起部５８は、図５及び図７に示すように、複数の片持ち梁が円周状に配列され、該方持ち梁の各先端部には先端に向かう傾斜面を備えた掛止部５８ａが形成されるとともに各基端部には弾性変形する弾性変形部５８ｂを備えている。また、弾性変形部５８ｂの配列が集合した外周は、サイドフレームプレート２２の軸支孔４０に嵌合するようになっている。軸支孔４０への挿入時には、係合周突起部５８は、前記傾斜面にガイドされながら弾性変形部５８ｂが軸支孔４０の内側へ変形し、掛止部５８ａが軸支孔４０を通過すると弾性変形部５８ｂの弾発力で各掛止部５８ａが半径方向に拡張して軸支孔４０の孔縁に係止される。
【００２１】
また、図２に示すように、アッパレール６には駆動機構７０が設けられ、駆動機構７０は、いずれも図略のスクリュウシャフト、ナット部材、ギヤ装置、駆動減速ギヤ装置及びモータ装置を主として備え、ロアレール４に対してアッパレール６が前記モータ装置の駆動によって前後方向にスライド移動するように構成されている。
【００２２】
上記のように構成されたシート装置２における作動を以下に説明する。  例えばシートクッション７を上昇させる場合、先ず、モータ２８ａを駆動させ、モータ２８ａの駆動力を減速装置２８ｂを介してピニオンギヤ２６に伝達してピニオンギヤ２６を回転させる。ピニオンギヤ２６の回転により外歯が噛合されるセクタギヤ２４の一端部が下方に（図６において時計回りに）回動し、セクタギヤ２４の他端部が上方に回動する。セクタギヤ２４の他端部に相対回動可能に連結された揺動リンク部材３０はセクタギヤ２４の回動に伴って上方へ回動する。このときセクタギヤ２４の他端部及び揺動リンク部材３０の一端部は揺動支持部材６２によってサイドフレームプレート２２の揺動穴３８に係止されているので、サイドフレームプレート２２も連動して上方へ回動する。但し、サイドフレームプレート２２はロアアーム８に設けられた回動中心３２の回りに回動する。また、揺動リンク部材３０の他端部は軸支孔４０に嵌合され、図６に示すように、揺動リンク部材３０とセクタギヤ２４との形成する角度が、拡大することによりセクタギヤ２４の回転中心穴４６からの距離を延長させ、サイドフレームプレート２２の回動中心３２の回りに回動する軌跡とのずれを修正する。サイドフレームプレート２２は、サイドフレームプレート２２の天板部２２ａに固定された前縁パネル４２を上昇させる。前縁パネル４２はシートクッション７の下面に固定されているので、シートクッション７の前側がロアアーム８に設けられた回動中心３２回りに回動しながら上昇することとなる。また、駆動伝達ロッド５０により伝達される駆動トルクによって、他方に形成された図略のリフタリンク部材、揺動リンク部材、サイドフレームプレート２２等より構成されるシートの左側のシートリフタ装置においても、同様に作動がなされ、動きを同期してシートクッション７を上昇させる。
【００２３】
このように、上記構成のシートリフタ装置２によると、揺動リンク部材３０は、一端部がセクタギヤ２４の他端部とともにサイドフレームプレート２２に係合され、さらに軸支孔４０においてサイドフレームプレート２２に係合されるので、揺動リンク部材３０にかかる横方向のモーメントをサイドフレームプレート２２が支持することができる。そのため、揺動リンク部材自体及び連結部である揺動リンク部材３０の一端部及びセクタギヤ２４の他端部を高い剛性の材料で形成することなく、構造的に高い剛性を確保することができる。
【００２４】
また、揺動リンク部材３０は高い剛性材料で製作する必要がないので、安価に製作することが可能な樹脂成型材で形成することができる。そして、樹脂成型材は、サイドフレームプレート２２等に組み付ける回動軸部分を一体成型でき、別体のピン部材等を省略することが可能となるので、部品点数の削減を図ることができる。そして、スナップフィットで組付けが行うことができるので、組立作業を迅速にして生産性を向上させることができる。
【００２５】
また、一番横方向のモーメントを生じやすい揺動リンク部材３０の一端部及びセクタギヤ２４の他端部という連結部が、揺動穴３８に係合されることによってサイドフレームプレート２２で支持されることとなるので、きわめて効率よくサイドフレームプレート２２で補強することができる。また、二つの部材（揺動リンク部材３０及びセクタギヤ２４）の連結部を揺動させるので、少しの動きで二つの部材が形成する角度を大きく変化させることが可能であり、全体として小型の構造とすることができる。
【００２６】
なお、上記実施形態では、ドリブンギヤとしてセクタギヤを使用したがこれに限定されず、例えば、駆動モータに連結されたピニオンギヤに噛合し、ピニオンギヤの回転により移動するウォームギヤでもよい。
【００２７】
また、揺動リンク部材に係合周突起部を設け、いわゆるスナップフィットでサイドフレームプレートの軸支孔に揺動リンク部材を嵌着するものとしたが、これに限定されず、例えば図４に示すように、金属製のピン部材７０を揺動リンク部材３０及び軸支孔４０に挿通し、カシメにより抜け止めする構成としてもよい。
【００２８】
また、揺動リンク部材は、サイドフレームプレートに揺動穴と軸支孔の２箇所で係合されるものとしたが、これに限定されず、例えば、揺動リンク部材の中間部に係合突起を設け、サイドフレームプレートに別の揺動穴を形成して係合突起を係合させる等、３箇所以上で係合させてもよい。
【図面の簡単な説明】
【００２９】
【図１】シート装置全体を示す概要図。
【図２】同シートリフタ装置を示す斜視図。
【図３】同シートリフタ装置の分解図。
【図４】別例の揺動リンク部材の取付状態を示す概要図。
【図５】揺動リンク部材の取付状態を示す概要図。
【図６】シートリフタ装置の作動状態を示す図。
【図７】スナップフィット構造を示す概要図。
【符号の説明】
【００３０】
２…シート装置、７…シートクッション、８…ロアアーム、２０…シートリフタ装置、２２…サイドフレームプレート、２２ｂ…側面板部、２４…ドリブンギヤ（セクタギヤ）、３０…揺動リンク部材、５８…スナップフィット（係合周突起部）。
【図１】
2009202844.tif 000003
【図２】
2009202844.tif 000004
【図３】
2009202844.tif 000005
【図４】
2009202844.tif 000006
【図５】
2009202844.tif 000007
【図６】
2009202844.tif 000008
【図７】
2009202844.tif 000009